(57)【要約】【課題】  公営競技の投票において不的中になったファンに公営競技をより楽しんでもらえるように、ファンに特典を与える。【解決手段】  ファンが投票した内容や金額が書き込まれた投票券には、表面に「当たり／外れ」の旨、あるいはポイントが印字され、人が直接には見ることができないようにその印字部を覆い隠すようにスクラッチ印刷が施されている。購入した投票券の対象となるレースが行われ、投票券の的中、不的中が決定され、不的中の場合にはファンは投票券のスクラッチ印刷加工部分を削り、印字内容を確認する。印字が「当たり」相当を示す場合には、投票券を払戻機に投入することでポイントカードのポイントが加算される、あるいは新たなポイントカードが発行される等の特典を得る。【選択図】  図１
2005128723.tif 000002
【特許請求の範囲】
【請求項１】
投票券払戻機によって特典を付与する方法であって、
公営競技の投票券を前記投票券払戻機に投入するステップと、
投入された前記投票券の表面に印刷されている印字部の情報を読み取るステップと、
前記特典の対象となるポイントカードを前記投票券払戻機に投入するステップと、
投入された前記ポイントカード内に記録されているポイント情報を読み取るステップと、
前記印字部の情報に応じて、前記ポイントカード内に記録されているポイント情報にポイントを加算するステップと、
前記ポイントカード内のポイント情報を前記加算されたポイント情報に書き換えるステップと、
前記書き換えられたポイントカードを前記投票券払戻機から排出するステップと、
を含むことを特徴とする公営競技における特典付与方法。
【請求項２】
投票券払戻機によって特典を付与する方法であって、
公営競技の投票券を前記投票券払戻機に投入するステップと、
投入された前記投票券の表面に印刷されている印字部の情報を読み取るステップと、
前記特典の対象となるポイントカードを発行するために指示情報を入力するステップと、
前記指示情報および前記印字部の情報に応じて、前記ポイントカードにポイント情報を書き込むステップと、
前記ポイント情報が書込まれたポイントカードを前記投票券払戻機から排出するステップと、
を含むことを特徴とする公営競技における特典付与方法。
【請求項３】
前記印字部は、前記印字部を覆い隠すように施されたスクラッチ印刷加工部分を除去したものであることを特徴とする請求項１または２のいずれか一記載の公営競技における特典付与方法。
【請求項４】
前記印字部は、当たりあるいは外れの旨が印字されていることを特徴とする請求項１または２のいずれか一記載の公営競技における特典付与方法。
【請求項５】
前記印字部は、ポイントあるいはポイントに相当する記号が印刷されていることを特徴とする請求項１または２のいずれか一記載の公営競技における特典付与方法。
【請求項６】
前記投票券は不的中投票券であることを特徴とする請求項１または２のいずれか一記載の公営競技における特典付与方法。
【請求項７】
公営競技の投票券を投入する投票券投入部と、
投入された前記投票券の表面に印刷されている印字部の情報を読み取る情報読取部と、
ポイントカードを投入するカード投入部と、
投入された前記ポイントカード内に記録されているポイント情報を読み取り、書き換える情報読取・書込部と、
前記ポイントカードを排出するカード排出部と、
前記投票券投入部、前記情報読取部、前記カード投入部、前記情報読取・書込部、および前記カード排出部を制御する制御部と、
を備え、
前記制御部は、前記情報読取部が読み取った前記印字部の情報に応じて、前記ポイントカード内に記録されているポイント情報を書き換えて前記ポイントカードを排出するように動作することを特徴とする投票券払戻機。
【請求項８】
公営競技の投票券を投入する投票券投入部と、
投入された前記投票券の表面に印刷されている印字部の情報を読み取る情報読取部と、  ポイントカードにポイント情報を記録する情報読取・書込部と、
前記ポイントカードを排出するカード排出部と、
前記投票券投入部、前記情報読取部、前記情報読取・書込部、および前記カード排出部を制御する制御部と、
を備え、
前記制御部は、前記情報読取部が読み取った前記印字部の情報に応じて、前記ポイントカードにポイント情報を記録して排出するように動作することを特徴とする投票券払戻機。
【請求項９】
前記印字部は、前記印字部を覆い隠すように施されたスクラッチ印刷加工部分を除去したものであることを特徴とする請求項７または８のいずれか一記載の投票券払戻機。
【請求項１０】
前記印字部は、当たりあるいは外れの旨が印字されていることを特徴とする請求項７または８のいずれか一記載の投票券払戻機。
【請求項１１】
前記印字部は、ポイントあるいはポイントに相当する記号が印刷されていることを特徴とする請求項７または８のいずれか一記載の投票券払戻機。
【請求項１２】
前記投票券は不的中投票券であることを特徴とする請求項７または８のいずれか一記載の投票券払戻機。
【請求項１３】
表面に印字部を備え、前記印字部には、当たりあるいは外れの旨が印字され、またはポイントあるいはポイントに相当する記号が印刷され、前記印字部を覆い隠すようにスクラッチ印刷加工を施してあることを特徴とする公営競技の投票券。
【請求項１４】
請求項１３記載の投票券が的中投票券である場合に払戻しを行うことを特徴とする投票券払戻機。
【請求項１５】
請求項１３記載の投票券を発券することを特徴とする投票券発売機。
【発明の詳細な説明】
【技術分野】
【０００１】
本発明は、公営競技における特典付与方法、投票券、およびこの投票券の払戻しを行う投票券払戻機に係る。
【背景技術】
【０００２】
従来、競馬、競輪といった公営競技において、投票券を購入した後、的中した場合には払戻しを受け、不的中の場合には投票券は廃棄されていた。投票券購入時の締切り間際の混雑防止と不的中の投票券（外れ券）の回収効率を高めるために、特許文献１の方式が開示されている。この方式は、投票券購入の申込み時に投入された外れ投票券に対して、この外れ券を購入した時間帯に応じたポイントを算出して、このポイントの合計額に応じた金額を求める。この金額は、投票券の購入代金の一部あるいは全部に使用することができるものである。
【０００３】
一方、特許文献２には、スクラッチインク等で隠蔽された部分を削り、表示された部分によって当落を判断するような宝くじ等の投票券において、隠蔽された部分の削り取りによって表示されるように、投票券の番号情報をコードとしてあらかじめ印字しておき、表示されたコードを読み取り機構で読込んで、自動的に当落を照合する装置が開示されている。
【０００４】
【特許文献１】特開２００２−２５９６１５号公報（第３頁、第１図）
【特許文献２】特開２００２−３７３３５６号公報（第１、２図）
【発明の開示】
【発明が解決しようとする課題】
【０００５】
特許文献１に記載の方式では、混雑防止のために投票券の購入時間を早めることと、不的中投票券が廃棄されるのを防ぐことを目的としていた。したがって、特許文献１に記載の方式は、公営競技の投票において不的中になったファンに公営競技をより楽しんでもらう目的をかなえるものではなかった。一方、特許文献２に記載の装置は、スクラッチインク等で隠蔽された部分をもつ宝くじ等の投票券について自動的に当落を照合することを目的とし、スクラッチ部分の読み取りに特殊な方法を用いるものであった。
【０００６】
そこで本発明の目的は、公営競技の投票において不的中になったファンに公営競技をより楽しんでもらえるように、何らかの特典を与えるための情報を投票券のスクラッチ部分に印刷し、スクラッチ部分の読み取りに特殊な方法を用いることのないシステムを提供することにある。
【課題を解決するための手段】
【０００７】
前記目的を達成するために、本発明に係る公営競技における特典付与方法は、第１の視点によれば、投票券払戻機によって特典を付与する方法であって、公営競技の投票券を投票券払戻機に投入するステップと、投入された投票券の表面に印刷されている印字部の情報を読み取るステップと、を含む。また、特典の対象となるポイントカードを投票券払戻機に投入するステップと、投入されたポイントカード内に記録されているポイント情報を読み取るステップと、を含む。さらに、印字部の情報に応じて、ポイントカード内に記録されているポイント情報にポイントを加算するステップを含む。また、ポイントカード内のポイント情報を加算されたポイント情報に書き換えるステップと、書き換えられたポイントカードを投票券払戻機から排出するステップと、を含む方法とされる。
【０００８】
また、本発明に係る公営競技における特典付与方法は、第２の視点によれば、投票券払戻機によって特典を付与する方法であって、公営競技の投票券を投票券払戻機に投入するステップと、投入された投票券の表面に印刷されている印字部の情報を読み取るステップと、を含む。また、特典の対象となるポイントカードを発行するために指示情報を入力するステップと、指示情報および印字部の情報に応じて、ポイントカードにポイント情報を書き込むステップと、ポイント情報が書込まれたポイントカードを投票券払戻機から排出するステップと、を含む方法とされる。
【０００９】
さらに、本発明に係る投票券払戻機は、第３の視点によれば、公営競技の投票券を投入する投票券投入部と、投入された投票券の表面に印刷されている印字部の情報を読み取る情報読取部と、を備える。また、ポイントカードを投入するカード投入部と、投入されたポイントカード内に記録されているポイント情報を読み取り、書き換える情報読取・書込部と、ポイントカードを排出するカード排出部と、を備える。さらに、投票券投入部、情報読取部、カード投入部、情報読取・書込部、およびカード排出部を制御する制御部を備え、制御部は、情報読取部が読み取った印字部の情報に応じて、ポイントカード内に記録されているポイント情報を書き換えてポイントカードを排出するように動作する。
【００１０】
また、本発明に係る投票券払戻機は、第４の視点によれば、公営競技の投票券を投入する投票券投入部と、投入された投票券の表面に印刷されている印字部の情報を読み取る情報読取部と、を備える。また、ポイントカードにポイント情報を記録する情報読取・書込部と、ポイントカードを排出するカード排出部と、を備える。さらに、投票券投入部、情報読取部、情報読取・書込部、およびカード排出部を制御する制御部を備え、制御部は、情報読取部が読み取った印字部の情報に応じて、ポイントカードにポイント情報を記録してポイントカードを排出するように動作する。
【００１１】
本発明において好ましくは、印字部は、印字部を覆い隠すように施されたスクラッチ印刷加工部分を除去したものであってもよい。
【００１２】
また、本発明において好ましくは、印字部は、当たりあるいは外れの旨が印字されていてもよい。
【００１３】
さらに、本発明において好ましくは、印字部は、ポイントあるいはポイントに相当する記号が印刷されていてもよい。
【００１４】
また、本発明に係る投票券は、第５の視点によれば、表面に印字部を備え、印字部には、当たりあるいは外れの旨が印字され、またはポイントあるいはポイントに相当する記号が印刷され、印字部を覆い隠すようにスクラッチ印刷加工を施してあるものである。
【発明の効果】
【００１５】
本発明は、投票券に予めスクラッチ印刷加工を施し、公営競技の投票において不的中になったファンがその加工を復元することで、当選が判明すれば、ファンへポイントカードのポイント加算等の特典を付与することができる。したがって、不的中から生じるストレスを緩和し、ファンに公営競技をより楽しんでもらうことができるようになる。
【発明を実施するための最良の形態】
【００１６】
以下、本発明の実施形態を添付図面に基づいて説明する。図１は、本発明の実施形態に係る公営競技における特典付与方法を説明するためのフロー図である。図１において、ステップＳ１０で、ファン（投票券の購入者）は、投票券発売機により、投票券を購入する。ファンが投票した内容や金額が書き込まれた投票券が発行される。この際、発行される投票券には、表面に「当たり／外れ」の旨、あるいはポイントが印字され、人が直接には見ることができないようにその印字部を覆い隠すようにスクラッチ印刷が施されている。
【００１７】
ステップＳ１１において、購入した投票券の対象となるレースが行われ、購入した投票券の的中、不的中が決定される。
【００１８】
ステップＳ１２で、ファンは購入した投票券の的中、不的中を確認する。購入した投票券が的中の場合にはステップＳ１３に進み、不的中の場合にはステップＳ１４に進む。
【００１９】
ステップＳ１３で、ファンは的中した投票券の払戻しを受け、一連の手続きが終了する。
【００２０】
ステップＳ１４で、ファンは購入した投票券のスクラッチ印刷加工部分を削り、「当たり／外れ」の旨の印字あるいはポイントを確認する。印字が「外れ」の場合にはステップＳ１５に進み、一連の手続きが終了する。印字が「当たり」あるいは有効なポイントである場合にはステップＳ１６に進む。
【００２１】
ステップＳ１６で、ファンは例えばポイントカードの加算等の特典を得、一連の手続きが終了する。
【００２２】
次にシステムの具体的構成について以下に説明する。図２は、本発明の実施形態に係るシステムの構成を表す図である。システムは、投票券を発行する投票券発売機１０、的中した投票券の払戻しを行う投票券払戻機２０、特典となるポイントの精算を行うポイント精算機３０、各種情報を集計する集計機４０、とそれぞれを接続するネットワーク５０から構成される。
【００２３】
投票券発売機１０は、公営競技の競走場や競走場外投票所、払戻所に設置してあるものであり、窓口で人手を介して販売する発売機あるいは自動で販売する発売機である。投票券発売機１０は、ファンが投票した内容や金額を投票券に記載して発行するものである。また、この機能に加え、特典ポイントの獲得の「当たり／外れ」の旨あるいはポイントないしポイントに相当する記号を印刷し、その印字部にスクラッチ印刷加工を施した上で投票券を発行する装置である。あるいは、あらかじめ印字部にスクラッチ印刷加工を施した投票券に投票内容を印刷して発行する装置である。
【００２４】
投票券払戻機２０は、公営競技の競走場や競走場外投票所、払戻所に設置してあるものであり、窓口で人手を介して払戻しを行う払戻機あるいは自動で払戻しを行う払戻機である。投票券払戻機２０は、当該レース後の投票券が的中しているか不的中なのかを読み取り、的中であれば、払い戻すべき金額を計算し、現金を払い戻すものである。また、この機能に加え、スクラッチ印刷加工部分が削り取られた投票券の「当たり」の旨あるいはポイントないしポイントに相当する記号の印字部分を判読すると共に不正な処理（偽造や改ざんなど）をしていないかを判別し、正しい投票券であれば、ポイントカードのポイント加算等の特典を当該ファンへ付与する装置である。
【００２５】
ポイント精算機３０は、公営競技の競走場や競走場外投票所、払戻所に設置してあるものであり、窓口で人手を介して特典ポイントを付与する精算機あるいは自動で特典ポイントを付与する精算機である。スクラッチ印刷加工部分が削り取られた投票券の「当たり」の旨あるいはポイントないしポイントに相当する記号の印字部分を判読すると共に不正な処理（偽造や改ざんなど）をしていないかを判別し、正しい投票券であれば、ポイントカードのポイント加算等の特典を当該ファンへ付与する装置である。
【００２６】
集計機４０は、公営競技の全国集計センター、地域集計センター、競走場や競走場外投票所、払戻所に設置するものであり、特典ポイントの付与に関する情報を集計する装置である。
【００２７】
ネットワーク５０は、投票券発売機１０、投票券払戻機２０、ポイント精算機３０、集計機４０、をそれぞれ接続する。
【００２８】
以上の説明では、投票券発売機１０は投票券の発行機能、投票券払戻機２０は的中した投票券の払戻し機能および特典付与機能、ポイント精算機３０は特典付与機能、をそれぞれ有するものとして説明した。しかし、これにこだわるものではなく各機能を他の機器において備えてもよい。
【００２９】
次に、投票券の払戻し機能および特典付与機能を備える投票券払戻機について説明する。図３は、本発明の実施形態に係る投票券払戻機の構成を表すブロック図である。図３において、投票券払戻機２０は、ポイントカード７０を投票券払戻機に投入するカード投入部２１、ポイントカード７０に記録されている情報の読み書きを行う情報読取・書込部２２、ポイントカード７０を投票券払戻機から排出するカード排出部２３、投票券６０を投票券払戻機に投入する投票券投入部２４、投票券６０に印字されている「当り」の旨あるいはポイントないしポイントに相当する記号の印字情報の読み取りを行う情報読取部２５、ファンに機器の状態を表示する表示部２６、ファンにより機器に対し操作する操作部２７、外部装置とのデータの送受を行う通信部２８、各部の制御を司る制御部２９を備える。
【００３０】
特典を受けるための投票券６０は、投票券投入部２４より投入され、情報読取部２５によって、投票券６０に印字されている特典の「当り」の旨あるいはポイントないしポイントに相当する記号の印字情報が読み取られ、払戻機内に回収される。
【００３１】
ポイントカード７０は、カード投入部２１より投入され、情報読取・書込部２２でポイントカード７０に記録されるデータの読み取り、書込みが行われ、カード排出部２３より排出される。一方、新たなポイントカードを発行する場合には、不図示の新規ポイントカード保持部からポイントカードを取りだし、情報読取・書込部２２でポイントカード７０に所定のデータの書込みを行い、カード排出部２３より排出する。
【００３２】
表示部２６は、払い戻しあるいは特典の付与を行う際にファンに案内を表示するものである。また、操作部２７は、ファンが投票券払戻機２０を操作するためのものであり、タッチパネルあるいは押しボタン等で構成される。例えば新たなポイントカードを発行する場合には、ポイントカードに記録するための所定の情報を入力するものである。通信部２８は、ネットワーク５０を介して外部装置とのデータの送受を行うためのものである。
【００３３】
制御部２９は、カード投入部２１、情報読取・書込部２２、カード排出部２３、投票券投入部２４、情報読取部２５、表示部２６、操作部２７、通信部２８を制御する。制御部２９は、主として投票券６０とポイントカード７０との内容を読み取ってポイントカード７０内のポイント情報にポイントを加算する制御を行うものである。あるいは、投票券６０の内容を読み取って、新たなポイントカード７０を発行する制御を行うものである。
【００３４】
すなわち、制御部２９は、投入された投票券６０に印字されている特典の「当り」の旨あるいはポイントないしポイントに相当する記号の印字情報を読み取ったならば、ポイントカード７０に記録されているポイント情報にポイントを加算してポイントカード７０の記録内容を更新し、ポイントカード７０をカード排出部２３から排出する制御を行う。あるいは、新たなポイントカード７０に記録内容を記録し、ポイントカード７０をカード排出部２３から排出する制御を行う。一方、ポイントカード７０の記録内容は、通信部２８を介して、集計機４０に通知される。
【００３５】
集計機４０は、送られてきたポイントカード７０の記録内容を集中的に管理する。例えば、ポイントカードを発行した際に入力された氏名等の所定の情報、ポイントカード紛失時の再発行のための情報、不正使用の情報などを蓄積し、必要に応じて情報を投票券払戻機２０あるいはポイント精算機３０に伝える。
【００３６】
なお、投票券払戻機２０は、ポイントカードによる特典の付与以外に、従来の的中投票券の払戻しを行う機能を有するが、本発明と直接関わり無いので、その説明を省略する。
【００３７】
以上の説明のように投票券に予めスクラッチ印刷加工等を施し、公営競技の投票において不的中になった投票券を持つファンが投票券のクラッチ印刷加工部分を除去して印字部分を確認する。印字部分に特典付与の旨を示す情報があれば、当該ファンへポイントカードのポイント加算等の特典を付与する仕組みを備える。したがって、不的中から生じるストレスを緩和し、ファンに公営競技をより楽しんでもらうことができる。
【実施例】
【００３８】
次に、具体的な実施例に関し、投票券の構造および投票券払戻機の動作について説明する。図４は、本発明の実施例に係る投票券の構造を表す図である。図４において、投票券６０は、公営競技の投票券であって、その表面に「当たり／外れ」あるいはポイントないしポイントに相当する記号を印字し、発券した際には人が直接には見ることができないように印字した記号を覆い隠すようにスクラッチ印刷加工が施されたスクラッチ印刷部６１を設けている。
【００３９】
当該投票券が不的中となった際にファンがスクラッチ印刷部６１を何らかの手段によって物理的に削り取ることで、「当たり／外れ」相当を印字した印字部６２あるいはポイントないしポイントに相当する記号を印字した印字部６３の印字内容を判別することができる。「当たり」あるいはポイントが印字された投票券６０を投票券払戻機２０あるいはポイント精算機３０に、ポイントカード７０と共に投入することで、ポイントカード７０の持つポイントを加算する、すなわち貯めることができる。
【００４０】
なお、印字部６２あるいは印字部６３の印字内容は、人が判読しやすい文字や記号とすると共に、情報読取部２５において、読み取りやすいような記号、例えばバーコード等を併記してもよい。
【００４１】
次に、投票券払戻機２０の動作について説明する。図５は、本発明の実施例に係る投票券払戻機の動作フローを表す図である。図５において、ステップＳ２０でスタートする。
【００４２】
ステップＳ２１で、投票券６０が投票券投入部２４に投入され、ポイントカード７０がカード投入部２１に投入される。
【００４３】
ステップＳ２２で、情報読取部２５は、投票券６０そのものが有効性を持つものか否かの情報を読み取り、判断する。投票券６０が有効ならば、ステップＳ２３に進む。無効であればステップＳ２９に進み、投票券６０が無効である旨の表示を表示部２６に表示し、ステップＳ２８に進む。
【００４４】
ステップＳ２３で、情報読取部２５は、投票券６０の印字部６２または印字部６３の情報を読み取る。
【００４５】
ステップＳ２４で、情報読取・書込部２２は、ポイントカード７０そのものが有効性を持つものか否かの情報を読み取り、判断する。ポイントカード７０が有効ならば、ステップＳ２５に進む。無効であるばステップＳ３０に進み、ポイントカード７０が無効である旨の表示を表示部２６に表示し、ステップＳ３１で一連の処理を終了する。
【００４６】
ステップＳ２５で、情報読取・書込部２２は、ポイントカード７０のポイント情報を読み取る。
【００４７】
ステップＳ２６で、制御部２９は、投票券６０の印字部６２または印字部６３の情報に対応するポイントをポイントカード７０のポイント情報に加算する。
【００４８】
ステップＳ２７で、情報読取・書込部２２は、加算されたポイント情報をポイントカード７０のポイント情報に書込む。
【００４９】
ステップＳ２８で、カード排出部２３は、ポイント情報が書き換えられたポイントカード７０を投票券払戻機２０から排出する。
【００５０】
ステップＳ３１で一連の処理を終了する。
【００５１】
以上のようなステップにしたがって投票券払戻機２０は動作し、「当たり」あるいはポイントが印字された投票券６０と引き換えにポイントカード７０のポイントが加算されるようになる。
【００５２】
なお、以上の動作フローでは、投入される投票券６０が１枚の場合について説明したが、複数枚の投票券６０を順次投票券払戻機２０に投入し、複数枚の投票券６０の合計に相当するポイントをポイントカード７０に加算するように動作させることも可能である。
【００５３】
次に、「当たり」あるいはポイントが印字された投票券６０と引き換えにポイントカード７０を発行する場合の投票券払戻機２０の動作について説明する。図６は、本発明の実施例に係る投票券払戻機のポイントカード発行時の動作フローを表す図である。図６において、ステップＳ４０でスタートする。
【００５４】
ステップＳ４１で、投票券６０が投票券投入部２４に投入される。
【００５５】
ステップＳ４２で、情報読取部２５は、投票券６０そのものが有効性を持つものか否かの情報を読み取り、判断する。投票券６０が有効ならば、ステップＳ４３に進む。無効であればステップＳ４８に進み、投票券６０が無効である旨の表示を表示部２６に表示し、ステップＳ４９に進む。
【００５６】
ステップＳ４３で、情報読取部２５は、投票券６０の印字部６２または６３の情報を読み取る。
【００５７】
ステップＳ４４で、新たなポイントカードを発行するので操作部２７の操作、例えばボタン押下等を行うよう、表示部２６にその旨が表示される。
【００５８】
ステップＳ４５で、操作部２７の操作が行われ、新たなポイントカードの発行が指示される。
【００５９】
ステップＳ４６で、新たなポイントカード７０が不図示の新規ポイントカード保持部から取り出され、情報読取・書込部２２は、投票券６０の印字部６２または印字部６３の情報に対応するポイントをポイントカード７０のポイント情報に書込む。
【００６０】
ステップＳ４７で、カード排出部２３は、新たにポイント情報が書込まれたポイントカード７０を投票券払戻機２０から排出する。
【００６１】
ステップＳ４９で一連の処理を終了する。
【００６２】
以上のようなステップにしたがって投票券払戻機２０は動作し、「当たり」あるいはポイントが印字された投票券６０と引き換えに新たにポイント情報が書込まれたポイントカード７０が発行される。
【００６３】
なお、以上の動作フローでは、投入される投票券６０が１枚の場合について説明したが、複数枚の投票券６０を順次投票券払戻機２０に投入し、複数枚の投票券６０の合計に相当するポイント情報を書込んだポイントカード７０を発行するように動作させることも可能である。
【００６４】
以上の説明において、ファンへの特典の付与方法として、「当たり」あるいはポイントが印字された投票券と引き換えにポイントカード７０のポイントを加算する方法、および新たにポイント情報が書込まれたポイントカード７０を発行する方法について説明した。
【００６５】
ポイントカード７０の持つポイントがある値になったならば、そのポイントカード７０のポイントと引き換えに何らかの特典がファンに与えられる。特典の例としては、次回の投票券購入の際の代金の一部あるいは全部に充当することができる。また、適当な景品と引き換えることも可能である。
【産業上の利用可能性】
【００６６】
本発明によれば、公営競技において投票が不的中になったファンに特典を付与する機会を与えることにより、その楽しみを大幅に増やすことができる。したがってファン離れの防止になり、ファンの購買意欲を向上し、公営競技における売上向上に役立てることができる。
【図面の簡単な説明】
【００６７】
【図１】本発明の実施形態に係る公営競技における特典付与方法を説明するためのフロー図である。
【図２】本発明の実施形態に係るシステムの構成を表す図である。
【図３】本発明の実施形態に係る投票券払戻機の構成を表すブロック図である。
【図４】本発明の実施例に係る投票券の構造を表す図である。
【図５】本発明の実施例に係る投票券払戻機の動作フローを表す図である。
【図６】本発明の実施例に係る投票券払戻機のポイントカード発行時の動作フローを表す図である。
【符号の説明】
【００６８】
１０  投票券発売機
２０  投票券払戻機
２１  カード投入部
２２  情報読取・書込部
２３  カード排出部
２４  投票券投入部
２５  情報読取部
２６  表示部
２７  操作部
２８  通信部
２９  制御部
３０  ポイント精算機
４０  集計機
５０  ネットワーク
６０  投票券
６１  スクラッチ印刷部
６２、６３  印字部
７０  ポイントカード
【図１】
2005128723.tif 000003
【図２】
2005128723.tif 000004
【図３】
2005128723.tif 000005
【図４】
2005128723.tif 000006
【図５】
2005128723.tif 000007
【図６】
2005128723.tif 000008